(57)【特許請求の範囲】
【請求項１】
壁板の壁面を紙又は樹脂からなるシート状の被覆材で被覆してなる壁材を備え、
その壁材に前記被覆材の表面側に突出するようにして棚板が取付部材を介して取り付けられる棚板の壁取付構造であって、
前記取付部材は、前記壁材に対して固定される壁固定部と、前記棚板に対して固定される棚板固定部とを備え、
前記壁固定部は、前記被覆材の表面に対向する対向面部を有し、その対向面部を前記表面に密着させた状態で前記壁材に固定されており、
前記棚板には、前記壁材側の端面にて開口された孔部が形成されており、
前記取付部材は、前記孔部に挿入された状態で設けられており、
前記壁材の裏面側には、下地板が設けられており、
前記下地板には、前記壁固定部及び前記壁材を貫通して固定具が打ち込まれており、
その固定具により前記壁固定部が前記壁材に対して固定されており、
前記壁固定部は、前記対向面部から前記壁材の裏面側へ当該壁材を貫通して延びるシャフトを備え、
前記下地板には、前記シャフトを差し込むための差込孔部が形成されており、
前記シャフトにおいて前記差込孔部に差し込まれた差込部分には、その外周面に前記下地板との摩擦抵抗を高める高摩擦構造が形成されていることを特徴とする棚板の壁取付構造。
【請求項２】
壁板の壁面を紙又は樹脂からなるシート状の被覆材で被覆してなる壁材を備え、
その壁材に前記被覆材の表面側に突出するようにして棚板が取付部材を介して取り付けられる棚板の壁取付構造であって、
前記取付部材は、前記壁材に対して固定される壁固定部と、前記棚板に対して固定される棚板固定部とを備え、
前記壁固定部は、前記被覆材の表面に対向する対向面部を有し、その対向面部を前記表面に密着させた状態で前記壁材に固定されており、
前記棚板には、前記壁材側の端面にて開口された孔部が形成されており、
前記取付部材は、前記孔部に挿入された状態で設けられており、
前記壁材の裏面側には、下地板が設けられており、
前記下地板には、前記壁固定部及び前記壁材を貫通して固定具が打ち込まれており、
その固定具により前記壁固定部が前記壁材に対して固定されており、
前記壁固定部は、前記対向面部から前記壁材の裏面側へ当該壁材を貫通して延びるシャフトを備え、
前記下地板には、前記シャフトを差し込むための差込孔部が形成されており、
前記壁固定部は、前記棚板の幅方向において前記シャフトを挟んだ両側に配置された一対の前記固定具により前記壁材に固定されており、
前記各固定具はいずれも前記シャフトと異なる高さ位置に配置されていることを特徴とする棚板の壁取付構造。
【請求項３】
前記被覆材において少なくとも前記対向面部の下端部と重なる所定の範囲が、接着剤又は硬化剤が塗布されることで硬化された硬化領域となっていることを特徴とする請求項１又は２に記載の棚板の壁取付構造。
【請求項４】
前記硬化領域は、前記被覆材において前記対向面部により覆われた領域全体を含んで形成されていることを特徴とする請求項３に記載の棚板の壁取付構造。
【請求項５】
前記硬化領域は、前記棚板からはみ出ないように形成されていることを特徴とする請求項３又は４に記載の棚板の壁取付構造。
【請求項６】
前記下地板は、その上下方向の長さが前記棚板の奥行き寸法よりも長くなっていることを特徴とする請求項１乃至５のいずれか一項に記載の棚板の壁取付構造。
【発明の詳細な説明】
【技術分野】
【０００１】
本発明は、棚板の壁取付構造に関する。
【背景技術】
【０００２】
従来より、建物の壁面に対して棚板が取り付けられる壁付けの棚板構造が知られている（例えば特許文献１参照）。このような壁付けの棚板は、例えば壁材としての石膏ボードの壁面に取付金具を介して取り付けられる。
【０００３】
この種の取付金具としては、Ｌ字型のアングルがよく用いられる。また、棚板の内部に収容された状態で設けられるいわゆる見えないタイプの取付金具が用いられる場合もある。見えないタイプの取付金具は、棚板に石膏ボード側の端面にて開口する孔部を形成し、その孔部に収容（挿入）された状態で設けられるようになっている。この取付金具を用いれば、取付金具が棚板により覆い隠されるため、棚板周辺の外観が損なわれるのを抑制することができる。
【０００４】
また、このタイプの取付金具は、石膏ボードの壁面に固定される壁固定板部と、棚板内部に挿入され当該棚板に固定される棚板固定部とを有している。
【先行技術文献】
【特許文献】
【０００５】
【特許文献１】特許第５３９３２５８号公報
【発明の概要】
【発明が解決しようとする課題】
【０００６】
ところで、石膏ボードは、石膏からなる芯材（壁板）の壁面にボード用原紙が被覆されることで構成されている。したがって、石膏ボードの壁面に取付金具の壁固定板部が固定される場合、壁固定板部がボード用原紙の表面に密着された状態で固定されることになる。
【０００７】
ここで、石膏ボードにおいて芯材は石膏よりなるのに対してボード用原紙は柔らかい紙材よりなる。そのため、棚板上に載せられた物品の荷重により取付金具の壁固定板部に下方への回転力が生じると、その回転力により壁固定板部の下端部がボード用原紙又はボード用原紙から石膏に及ぶようにめり込んで壁固定板部が傾くことが想定される。そうすると、それに伴って取付金具ひいては棚板が下方へ傾く（倒れる）おそれがある。
【０００８】
本発明は、上記事情に鑑みてなされたものであり、棚板の下方への倒れを抑制することができる棚板の壁取付構造を提供することを主たる目的とするものである。
【課題を解決するための手段】
【０００９】
上記課題を解決すべく、第１の発明の棚板の壁取付構造は、壁板の壁面を紙又は樹脂からなるシート状の被覆材で被覆してなる壁材を備え、その壁材に前記被覆材の表面側に突出するようにして棚板が取付部材を介して取り付けられる棚板の壁取付構造であって、前記取付部材は、前記壁材に対して固定される壁固定部と、前記棚板に対して固定される棚板固定部とを備え、前記壁固定部は、前記被覆材の表面に対向する対向面部を有し、その対向面部を前記表面に密着させた状態で前記壁材に固定されており、前記被覆材において少なくとも前記対向面部の下端部と重なる所定の範囲が、接着剤又は硬化剤が塗布されることで硬化された硬化領域となっていることを特徴とする。
【００１０】
本発明によれば、取付部材の壁固定部がその対向面部を壁板を被覆する被覆材の表面に密着させた状態で壁材に固定されている。ここで、被覆材は、比較的柔らかい材料である紙又は樹脂により形成されているため、棚板に作用する物品からの下向き荷重により壁固定部に下方への回転力が生じた場合に、壁固定部の対向面部の下端部が被覆材にめり込んで取付部材ひいては棚板が下方へ傾く（倒れる）おそれがある。そこで本発明では、これに対する対策として、被覆材において少なくとも対向面部の下端部が重なる所定の範囲に接着剤又は硬化剤を塗布することで硬化領域を形成している。この場合、対向面部の下端部が被覆材（硬化領域）にめり込むのを抑制することができるため、かかるめり込みに伴う取付部材の下方への倒れ、ひいては棚板の下方への倒れを抑制することができる。
【００１１】
第２の発明の棚板の壁取付構造は、第１の発明において、前記壁材は、石膏からなる前記壁板の壁面を前記被覆材としてのボード用原紙で被覆してなる石膏ボードであり、前記棚板は、前記石膏ボードに前記ボード用原紙の表面側に突出するようにして取り付けられており、前記硬化領域は前記ボード用原紙に設けられていることを特徴とする。
【００１２】
ところで、建物に設けられる壁材としては、耐火性能に優れた石膏ボードがよく用いられる。石膏ボードは、石膏からなる芯材（壁板）をボード用原紙（被覆材）で被覆することにより構成されている。そのため、石膏ボードに棚板が取付部材を介して取り付けられる構成では、取付部材の壁固定部がその対向面部を石膏よりも柔らかいボード用原紙の表面に密着させた状態で石膏ボードに固定される。そこで本発明では、このような構成に第１の発明を適用し、上記ボード用原紙に硬化領域を形成している。この場合、壁固定部の対向面部の下端部がボード用原紙にめり込むのを抑制することができるため、かかるめり込みに伴う棚板の倒れを抑制することができる。
【００１３】
第３の発明の棚板の壁取付構造は、第１又は第２の発明において、前記棚板には、前記壁材側の端面にて開口された孔部が形成されており、前記取付部材は、前記孔部に挿入された状態で設けられていることを特徴とする。
【００１４】
本発明によれば、棚板に形成された孔部に取付部材が挿入された状態で設けられているため、取付部材を棚板により覆い隠すことができる。この場合、棚板周辺の外観が損なわれるのを抑制しながら、棚板を壁材に取り付けることができる。ここで、かかる取付部材では、壁固定部の上下寸法を棚板の厚み分しか確保することができないため、壁固定部を安定した状態で壁材に固定することが困難になると考えられる。そのため、棚板に作用する下向き荷重により壁固定部に下方への回転力が生じる場合に、対向面部の下端が被覆材にめり込む上述の事態が生じ易いと考えられる。その点本発明では、かかる構成に第１の発明（硬化領域に関する構成）を適用しているため、このような構成であっても対向面部のめり込みを抑制することができ、ひいてはかかるめり込みに伴う棚板の倒れを抑制することができる。
【００１５】
第４の発明の棚板の壁取付構造は、第３の発明において、前記硬化領域は、前記被覆材において前記対向面部により覆われた領域全体を含んで形成されていることを特徴とする。
【００１６】
本発明によれば、硬化領域が被覆材において対向面部により覆われた領域全体を含むように形成されているため、対向面部の全体が被覆材にめり込むのを抑制することができる。これにより、かかるめり込みに伴う棚板の倒れをより一層抑制することができる。
【００１７】
第５の発明の棚板の壁取付構造は、第３又は第４の発明において、前記硬化領域は、前記棚板からはみ出ないように形成されていることを特徴とする。
【００１８】
ところで、被覆材において硬化領域とそれ以外の領域（非硬化領域）との境界では、その表面に段差が生じる場合が考えられる。その場合、被覆材の表面に仕上げ材（壁紙等）が貼り付けられると、上記の段差部分で仕上げ材にも段差が発生し外観が損なわれるおそれがある。また、被覆材の表面が仕上げ面とされる構成では、上記の境界が目立って外観が損なわれるおそれがある。そこで本発明では、これらの点に鑑みて、硬化領域を棚板からはみ出ないように形成している。この場合、被覆材における硬化領域とそれ以外の領域との境界を棚板により覆い隠すことができるため、当該境界により外観が損なわれるのを回避することができる。
【００１９】
第６の発明の棚板の壁取付構造は、第３乃至第５のいずれかの発明において、前記壁材の裏面側には、下地板が設けられており、前記下地板には、前記壁固定部及び前記壁材を貫通して固定具が打ち込まれており、その固定具により前記壁固定部が前記壁材に対して固定されており、前記壁固定部は、前記対向面部から前記壁材の裏面側へ当該壁材を貫通して延びるシャフトを備え、前記下地板には、前記シャフトを差し込むための差込孔部が形成されていることを特徴とする。
【００２０】
本発明によれば、壁固定部に設けられたシャフトが壁材の裏面側へ当該壁材を貫通して延びており、そのシャフトが壁材の裏面側に設けられた下地板の差込孔部に差し込まれている。この場合、棚板に作用する下向き荷重により壁固定部（詳しくは壁固定部において壁材の表面側に設けられた部分）に下方への回転力が生じても、壁固定部のシャフトが上方へ傾く（回転する）ことが差込孔部により規制されているため、結果として壁固定部の下方への回転を抑制することができる。これにより、取付部材ひいては棚板の倒れをより一層抑制することが可能となる。
【００２１】
第７の発明の棚板の壁取付構造は、第６の発明において、前記シャフトにおいて前記差込孔部に差し込まれた差込部分には、その外周面に前記下地板との摩擦抵抗を高める高摩擦構造が形成されていることを特徴とする。
【００２２】
ところで、上記第６の発明の構成では、棚板に作用する下向き荷重により壁固定部に下方の回転力が生じた場合、シャフトが上方へ傾くのを規制することはできるが、シャフトには上記の回転力により差込孔部から引き抜かれる側へ向けた引き抜き力も作用することが想定される。この場合、この引き抜き力によりシャフト（さらには壁固定部）が上記引き抜き側に変位し壁固定部が下方に向け回転し易くなるおそれがある。
【００２３】
そこで本発明では、この点に鑑みて、シャフトにおいて差込孔部に差し込まれる差込部分の外周面に高摩擦構造を形成している。この場合、差込部分と下地板との摩擦抵抗が高められているため、シャフトに作用する上記の引き抜き力に対して抵抗力を付与することが可能となる。これにより、シャフトの上記引き抜き側への変位を抑制することができ、ひいてはかかる変位に伴う壁固定部の回転を抑制することができる。よって、この場合、取付部材ひいては棚板の倒れをさらに抑制することが可能となる。
【００２４】
第８の発明の棚板の壁取付構造は、第６又は第７の発明において、前記壁固定部は、前記棚板の幅方向において前記シャフトを挟んだ両側に配置された一対の前記固定具により前記壁材に固定されており、前記各固定具はいずれも前記シャフトと異なる高さ位置に配置されていることを特徴とする。
【００２５】
本発明によれば、壁固定部が棚板の幅方向においてシャフトを挟んだ両側に配置された一対の固定具（ビスや釘、ボルト等）により壁材に固定されており、それら各固定具がいずれもシャフトとは異なる高さ位置に配置されている。この場合、各固定具とシャフトとが水平方向に一直線に並ばないようにすることができるため、これら各固定具及びシャフトが水平方向に一直線に並んで配置される場合と異なり、当該直線を回転中心とした壁固定部の下方への回転が生じるのを抑制できる。これにより、棚板の倒れをより一層抑制することができる。
【００２６】
第９の発明の棚板の壁取付構造は、第６乃至第８のいずれかの発明において、前記下地板は、その上下方向の長さが前記棚板の奥行き寸法よりも長くなっていることを特徴とする。
【００２７】
ところで、棚板に作用する下向き荷重により壁固定部が下方へ向けて回転しようとすると、その壁固定部が固定された壁材が壁固定部の回転に追従して変形するおそれがある。この際、壁材は、例えば壁固定部が固定された固定部位周辺が上下に波打つ波板状に変形することが考えられる。そこで本発明では、このような点に鑑みて、壁材の裏面側に設けられる下地板の上下長さを棚板の奥行き寸法よりも長くしている。この場合、壁材において壁固定部が固定された固定部位周辺をその裏面側から十分な上下寸法をもって下地板で覆うことが可能となるため、壁材の上記変形を好適に抑えることが可能となり、ひいては上記変形に基づく棚板の倒れを抑制することが可能となる。
【図面の簡単な説明】
【００２８】
【図１】（ａ）は間仕切壁周辺の構成を示す縦断面図であり、（ｂ）は（ａ）のＡ−Ａ線断面図である。
【図２】棚板が石膏ボードに取付金具を介して取り付けられた状態を示す縦断面図。
【図３】取付金具が石膏ボードに固定された状態を示す斜視図。
【図４】取付金具を分解した状態で示す分解斜視図。
【図５】取付金具が石膏ボードに固定された状態を示す横断面図。
【図６】他の実施形態における固定板部の石膏ボードに対する固定状態を示す正面図。
【発明を実施するための形態】
【００２９】
以下に、本発明を具体化した一実施の形態について図面を参照しつつ説明する。なお、図１において（ａ）は間仕切壁周辺の構成を示す縦断面図であり、（ｂ）は（ａ）のＡ−Ａ線断面図である。
【００３０】
図１（ａ）及び（ｂ）に示すように、建物には、間仕切壁１１が設けられており、その間仕切壁１１により第１居室Ｋ１と第２居室Ｋ２とが仕切られている。間仕切壁１１は、横並びに設けられた複数の壁パネル１２により構成されている。壁パネル１２は、下地フレーム１３と、下地フレーム１３を挟んだ両側に設けられた一対の石膏ボード１４，１５とを備えている。
【００３１】
下地フレーム１３は、木製角材よりなる複数のフレーム材１３ａ，１３ｂが矩形枠状に連結されることにより構成されている。具体的には、下地フレーム１３は、上下方向に延びる一対の縦フレーム材１３ａと、それら各縦フレーム材１３ａの間に架け渡された上下複数（図１（ｂ）では６つ）の横フレーム材１３ｂとを有している。複数の横フレーム材１３ｂのうち、フレーム上端に配された横フレーム材１３ｂは天井面１７にビス等で固定され、フレーム下端に配された横フレーム材１３ｂは床面１８にビス等で固定されている。
【００３２】
各石膏ボード１４，１５のうち、石膏ボード１４が下地フレーム１３の第１居室Ｋ１側に設けられ、石膏ボード１５が下地フレーム１３の第２居室Ｋ２側に設けられている。これら各石膏ボード１４，１５はいずれも下地フレーム１３と同じ大きさ（縦横寸法）を有して形成されており、下地フレーム１３に対してビス等で固定されている。
【００３３】
石膏ボード１４は、石膏からなる板状の芯材１４ａにボード用原紙１４ｂ，１４ｃが被覆されることにより形成されている（図２や図５参照）。ボード用原紙１４ｂ，１４ｃは、芯材１４ａの両側の板面（壁面）をそれぞれ被覆しており、芯材１４ａの表面（第１居室Ｋ１側の面）を被覆するボード用原紙が１４ｂ、芯材１４ａの裏面を被覆するボード用原紙が１４ｃとなっている。
【００３４】
なお、石膏ボード１４が壁材に相当し、芯材１４ａが壁板に相当し、ボード用原紙１４ｂが被覆材に相当する。また、石膏ボード１５も、石膏ボード１４と同様、芯材にボード用原紙が被覆されることにより構成されている。
【００３５】
石膏ボード１４には、第１居室Ｋ１側に突出するようにして棚板２１が取り付けられている。棚板２１は、いわゆる壁付けの棚板であり、木質系の材料により所定の厚みを有する矩形板状に形成されている。棚板２１は、石膏ボード１４への取付状態において水平向きとされており、その上面が物品を載置するための載置面となっている。
【００３６】
なお、図示の例では、石膏ボード１４に棚板２１が１つ（１段）しか取り付けられていないが、石膏ボード１４に棚板２１を上下に複数取り付けて多段としてもよい。
【００３７】
棚板２１は、石膏ボード１４に取付部材としての取付金具２２を介して取り付けられている。取付金具２２は、棚板２１の幅方向に所定の間隔で複数（具体的には２つ）設けられており、それら複数の取付金具２２を介して棚板２１が石膏ボード１４に取り付けられている。以下、かかる取付金具２２を用いた棚板２１の石膏ボード１４への取付構造について説明する。図２は、棚板２１が石膏ボード１４に取付金具２２を介して取り付けられた状態を示す縦断面図である。
【００３８】
図２に示すように、取付金具２２は、石膏ボード１４に第１居室Ｋ１側から固定されている。取付金具２２において石膏ボード１４から第１居室Ｋ１側に突出した突出部分２２ａは棚板２１の内部に収容されている。すなわち、棚板２１には、石膏ボード１４側の端面２１ａにおいて開口する孔部２３が形成されており、その孔部２３に上記の突出部分２２ａが差し込まれている（挿入されている）。これにより、突出部分２２ａひいては取付金具２２が棚板２１に対して固定されている。なお、孔部２３に差し込まれた突出部分２２ａを棚板２１に対して接着剤を用いて接着固定してもよい。
【００３９】
上記の取付金具２２を用いれば、取付金具２２を棚板２１により覆い隠すことができるため、棚板２１周辺の外観が損なわれるのを抑制しながら、棚板２１を石膏ボード１４に取り付けることができる。ちなみに、本実施形態では、取付金具２２として市販品（汎用品）を用いている。
【００４０】
続いて、取付金具２２の構成について図３〜図５を用いながら詳しく説明する。図３は、取付金具２２が石膏ボード１４に固定された状態を示す斜視図である。図４は、取付金具２２を分解した状態で示す分解斜視図である。図５は、取付金具２２が石膏ボード１４に固定された状態を示す横断面図である。なお、図４では便宜上、棚板２１の端面２１ａの外縁を仮想線で示している。
【００４１】
図３〜図５に示すように、取付金具２２は、石膏ボード１４に対して固定される壁固定部２５と、棚板２１に対して固定される棚板固定部２６とを備える。壁固定部２５は、石膏ボード１４の表面（第１居室Ｋ１側の面）に固定された固定板部２７と、その固定板部２７から石膏ボード１４を貫通して石膏ボード１４の裏面側に延びるシャフト２８とを有する。
【００４２】
固定板部２７は、長尺状をなす矩形平板状の鋼板よりなる。固定板部２７は、その幅（短手方向の長さ）が棚板２１の厚みよりも小さくされている。固定板部２７は、その長手方向を棚板２１の幅方向（換言すると間仕切壁１１の壁幅方向）に向けて石膏ボード１４（詳しくはボード用原紙１４ｂ）の表面に固定されている。具体的には、固定板部２７は
その板面２７ａをボード用原紙１４ｂの表面に密着させた状態で石膏ボード１４に固定されている。また、固定板部２７は、かかる固定状態において棚板２１の厚み方向の中央部に位置している。なお、固定板部２７の板面２７ａが対向面部に相当する。
【００４３】
固定板部２７は、複数（具体的には２つ）のビス２９を用いて石膏ボード１４に固定されている。この場合、石膏ボード１４の裏面側には矩形平板状の下地板３１が設けられており、その下地板３１に対してビス２９が固定板部２７及び石膏ボード１４を貫通した状態で打ち付けられている。これにより、固定板部２７が下地板３１との間に石膏ボード１４を挟み込んだ状態で当該石膏ボード１４に固定されている。なお、ビス２９が固定具に相当する。
【００４４】
固定板部２７の固定に関してより詳しく説明すると、固定板部２７には長手方向の両端部にそれぞれ厚み方向に貫通する一対の孔部３２が形成されている。また、石膏ボード１４には、それら各孔部３２に対応する位置にそれぞれ厚み方向に貫通する孔部３３が形成されている。そして、上記のビス２９は、これら固定板部２７及び石膏ボード１４の各孔部３２，３３を通じて第１居室Ｋ１側から下地板３１に打ち付けられている。また、ビス２９の頭部２９ａと固定板部２７との間には平座金３４（平ワッシャ）が介在されている。この平座金３４は、いわゆるワイドタイプのものであり、その外径が固定板部２７の幅の半分よりも大きくなっている。この平座金３４によりビス２９による固定板部２７の固定強度が高められている。
【００４５】
シャフト２８は金属製の丸棒材よりなり、その一端部が固定板部２７の中央部に固定されている。詳しくは、固定板部２７の中央部には厚み方向に貫通する孔部３６が形成されており、その孔部３６にシャフト２８の一端部が挿入された状態で当該一端部が固定板部２７に溶接固定されている。
【００４６】
シャフト２８は、石膏ボード１４に形成された孔部３７（貫通孔部）と、下地板３１に形成された孔部３８（貫通孔部）とにそれぞれ挿通されている。孔部３７は、その孔径がシャフト２８の外径よりも大きくなっており、孔部３８は、その孔径がシャフト２８の外径と同じかそれよりも若干大きくなっている。したがって、シャフト２８は、下地板３１の孔部３８に差し込まれる（挿通される）ことで下地板３１に対して取り付けられている。なお、孔部３８が差込孔部に相当する。
【００４７】
また、シャフト２８は、固定板部２７においてビス２９挿通用の各孔部３２の中央部に位置している。この場合、シャフト２８と各孔部３２とはいずれも固定板部２７において同じ高さ位置（詳しくは固定板部２７の幅方向の中央部）に位置しており、それら３者２８，３２が固定板部２７の長手方向（水平方向）に一直線に並んで配置されている。
【００４８】
棚板固定部２６は、壁固定部２５の固定板部２７に連結された連結部４１と、その連結部４１から固定板部２７とは反対側に向けて延びるシャフト４２とを有する。連結部４１は、金属製であり、固定板部２７の第１居室Ｋ１側の板面に固定されている。連結部４１は、直方体状の本体部４１ａと、その本体部４１ａの固定板部２７側の端部にて左右に突出する一対のフランジ部４１ｂとを有する。
【００４９】
本体部４１ａは、その上下寸法が固定板部２７の幅と略同じであり、その横寸法（左右寸法）が固定板部２７の長さの半分又はそれよりも小さくなっている。本体部４１ａは、固定板部２７の長手方向の中央部に位置している。一対の各フランジ部４１ｂはそれぞれ、固定板部２７にボルト４４により固定されている。詳しくは、各フランジ部４１ｂにはそれぞれ孔部４５が形成されており、固定板部２７にはそれら孔部４５に対応する位置にそれぞれねじ孔部４６が形成されている。そして、ボルト４４は、フランジ部４１ｂの孔部４５を介して固定板部２７のねじ孔部４６にねじ込まれている。なお、石膏ボード１４には、ボルト４４との干渉を回避するために逃がし孔４８が形成されている。
【００５０】
シャフト４２は、金属製の丸棒材よりなり、その一端部が連結部４１の本体部４１ａに溶接固定されている。シャフト４２は、壁固定部２５のシャフト２８と同一軸線上に並ぶように配置されている。
【００５１】
ところで、上述したように、取付金具２２の壁固定部２５は、その固定板部２７（詳しくは板面２７ａ）を石膏ボード１４のボード用原紙１４ｂ、すなわち石膏ボード１４において芯材１４ａ（石膏）よりも柔らかいボード用原紙１４ｂに密着させた状態で石膏ボード１４に固定されている。このような構成では、棚板２１に作用する物品からの下向き荷重により固定板部２７に下方への回転力が発生すると、固定板部２７（板面２７ａ）の下端部がボード用原紙１４ｂにめり込んで固定板部２７が下方へ傾くおそれがある。そうすると、それに伴って取付金具２２ひいては棚板２１が下方へ傾く（倒れる）おそれがある。そこで、本実施形態では、それに対する対策として、石膏ボード１４側に特徴的な構成を設けている。以下、その特徴的な構成について説明する。
【００５２】
図３及び図４に示すように、石膏ボード１４のボード用原紙１４ｂにおける所定の領域は、接着剤が塗布されることにより硬化された硬化領域５０となっている。図３及び図４では、その硬化領域５０をドットハッチを付して示している。硬化領域５０は、横方向（石膏ボード１４の幅方向）に長い矩形の領域となっており、ボード用原紙１４ｂにおいて固定板部２７（板面２７ａ）により覆われた領域全体を含むように形成されている。したがって、硬化領域５０は、ボード用原紙１４ｂにおいて固定板部２７の下端部が重なる下端重なり領域においてその全域（固定板部２７の長さ方向全域）に亘って設けられている。
【００５３】
硬化領域５０は、その上下幅Ｈが固定板部２７の幅よりも大きくなっており、その一部が固定板部２７の上側及び下側にはみ出している。また、硬化領域５０は、その上下幅Ｈが棚板２１の厚みｔよりも小さくなっており、その全域が棚板２１の厚みｔの範囲内にある。したがって、硬化領域５０は、棚板２１が取り付けられた状態で棚板２１から上下にはみ出ないようになっている。
【００５４】
硬化領域５０は、その横方向（左右方向）の長さが固定板部２７の（長手方向の）長さよりも長くなっており、その一部が固定板部２７から左右にはみ出している。また、硬化領域５０は、その横方向の長さが棚板２１の幅方向の端部からはみ出さない長さとされている。したがって、硬化領域５０は、棚板２１が取り付けられた状態で棚板２１から上下左右のいずれにもはみ出ないようになっている。
【００５５】
硬化領域５０は、ウレタン系接着剤をボード用原紙１４ｂの表面に薄く塗布し、その後その接着剤を乾燥させて硬化させることにより形成されている。硬化領域５０は、ボード用原紙１４ｂにおける硬化領域５０以外の領域（非硬化領域５１という）と比べて硬くなっており、それにより硬化領域５０では（厚み方向の）圧縮力に対する抵抗力が非硬化領域５１よりも高められている。
【００５６】
上述したように、ボード用原紙１４ｂにおいて固定板部２７（板面２７ａ）の下端部が重なる重なり領域に硬化領域５０が設けられているため、棚板２１に作用する下向き荷重により固定板部２７に下方への回転力が生じても、その回転力により固定板部２７（板面２７ａ）の下端部がボード用原紙１４ｂ（硬化領域５０）にめり込むのを抑制することができる。これにより、かかるめり込みに伴う取付金具２２の下方への倒れを抑制することができ、ひいては棚板２１の下方への倒れを抑制することができる。
【００５７】
なお、図示は省略するが、ボード用原紙１４ｂに硬化領域５０が形成された後、石膏ボード１４（ボード用原紙１４ｂ）の表面には仕上げ材としての壁紙（クロス）が貼り付けられる。これにより、硬化領域５０は壁紙により覆い隠された状態となる。なお、壁紙は、その端縁を棚板２１に突き当てた状態で貼り付けられる。
【００５８】
また、本実施形態では、上述した硬化領域５０以外にも、棚板２１の倒れを抑制する倒れ抑制手段を備えている。かかる抑制手段としては、下地板３１に関するものと、壁固定部２５のシャフト２８に関するものとがある。まず、下地板３１に関する倒れ抑制手段について説明する。
【００５９】
図１に示すように、下地板３１は、上下に長い矩形板状の構造用合板よりなる。下地板３１は、石膏ボード１４の裏面側で下地フレーム１３における上下に隣り合う横フレーム材１３ｂの間に跨がって設けられている。そして、下地板３１は、その上端部及び下端部がそれぞれそれら横フレーム材１３ｂに対してビス等で固定されている。下地板３１は、その上下方向の長さＬが棚板２１の奥行き寸法Ｗよりも長くなっており、例えばその長さが４８０ｍｍとなっている。
【００６０】
石膏ボード１４を挟んで下地板３１とは反対側には、上述したように、取付金具２２の壁固定部２５（詳しくは固定板部２７）が設けられている。固定板部２７は、下地板３１の上下方向の中央高さにおいて石膏ボード１４に対して固定されている。この固定板部２７の固定状態において、固定板部２７（壁固定部２５）から下地板３１の上端部及び下端部までの上下方向の距離は取付金具２２の突出部分２２ａの石膏ボード１４からの突出長さＫと同じか又はそれよりも長くなっている。
【００６１】
上記の構成によれば、石膏ボード１４において固定板部２７が固定される固定部位周辺をその裏面側から下地板３１により十分な上下寸法をもって覆うことが可能となる。棚板２１に作用する下向き荷重により固定板部２７が下方へ回転しようとする場合には、その固定板部２７の回転に追従して石膏ボード１４が変形するおそれがある。例えば、石膏ボード１４において固定板部２７が固定された固定部位周辺が上下に波打つように変形するおそれがある。その点、上述のように十分な上下寸法をもって石膏ボード１４を裏面側から覆うようにすることで、かかる石膏ボード１４の変形を好適に抑えることが可能となる。その結果、かかる変形に基づく取付金具２２の倒れひいては棚板２１の倒れを抑制することが可能となる。
【００６２】
続いて、シャフト２８に関する倒れ抑制手段について説明する。
【００６３】
図４に示すように、シャフト２８において下地板３１の孔部３８に差し込まれる差込部分２８ａ（図５も参照）には、その外周面に下地板３１との摩擦抵抗を高める高摩擦部５３が形成されている。図４では、その高摩擦部５３が形成された範囲をドットハッチを付して示している。高摩擦部５３は、シャフト２８の外周面（表面）にサンダー等を用いて表面粗さを粗くする表面加工が施されることで形成されている。高摩擦部５３は、差込部分２８ａの外周面において軸線方向全域に亘って形成されている。
【００６４】
高摩擦部５３は、差込部分２８ａの外周面において周方向の一部にのみ、具体的には当該外周面における上側部分にのみ形成されている。この場合、高摩擦部５３は、差込部分２８ａの外周面においてその上端部を含む所定範囲に形成されており、その所定範囲は例えば差込部分２８ａの外周面の上側半分なっている。このように差込部分２８ａの外周面に高摩擦部５３が形成されていることで、差込部分２８ａでは下地板３１との摩擦抵抗が高められている。なお、この場合、高摩擦部５３が高摩擦構造に相当する。
【００６５】
ちなみに、高摩擦部５３は、必ずしも差込部分２８ａの外周面において上側半分に形成される必要はなく、上端部にのみ形成されていてもよい。また、高摩擦部５３が、差込部分２８ａの外周面全域に形成されていてもよい。また、高摩擦部５３は、差込部分２８ａの外周面において軸線方向の一部にのみ形成されていてもよい。
【００６６】
上記の構成によれば、シャフト２８の差込部分２８ａの外周面に高摩擦部５３が形成されていることで、差込部分２８ａと下地板３１との摩擦抵抗が高められているため、棚板２１に作用する下向き荷重により固定板部２７に下方への回転力が生じて、シャフト２８に孔部３８から引き抜かれる側の引き抜き力が作用した場合にその引き抜き力に対して抵抗力を付与することができる。これにより、シャフト２８が引き抜き側に変位するのを抑制することができ、その結果かかる変位に伴って固定板部２７が下方へ回転してしまうのを抑制することができる。よって、この場合、取付金具２２ひいては棚板２１の倒れをさらに抑制することが可能となる。
【００６７】
また、棚板２１に作用する下向き荷重により固定板部２７に下方への回転力が生じる場合には、シャフト２８が上方へ傾こうとするのでシャフト２８の外周面の上側部分が下地板３１の孔部３８の内周面に当接することが想定される。そこで、上記の構成では、この点に着目して、高摩擦部５３を差込部分２８ａの外周面の上側部分に形成している。この場合、高摩擦部５３による差込部分２８ａと下地板３１との摩擦抵抗を高める機能を好適に発揮させることが可能となるため、シャフト２８の引き抜き側への変位に伴う棚板２１の倒れを好適に抑制することが可能となる。
【００６８】
さらに、シャフト２８の外周面において上側部分にのみ高摩擦部５３を形成するようにしたことで、高摩擦部５３を形成する際の表面加工を比較的容易とすることが可能となる。
【００６９】
ちなみに、高摩擦部５３は、必ずしも差込部分２８ａの外周面の表面粗さを粗くすることで形成する必要はなく、例えば差込部分２８ａの外周面に凹部と凸部とが軸線方向に並ぶ凹凸構造を形成し、その凹凸構造を高摩擦部としてもよい。
【００７０】
以上、詳述した本実施形態の構成によれば、以下の優れた効果が得られる。
【００７１】
石膏ボード１４のボード用原紙１４ｂにおいて壁固定部２５の固定板部２７（板面２７ａ）により覆われた領域全体を含むようにして硬化領域５０を形成した。この場合、固定板部２７の全体がボード用原紙１４ｂにめり込むのを抑制することができるため、かかるめり込みに伴う取付金具２２の倒れひいては棚板２１の倒れをより一層抑制することができる。
【００７２】
硬化領域５０を棚板２１からはみ出ないように形成したため、硬化領域５０と非硬化領域５１との境界を棚板２１により覆い隠すことができる。この場合、上記の境界で段差が生じても当該段差を跨いで壁紙が貼り付けられることがないため、壁紙に上記の段差に追従した段差が生じるのを回避することができる。これにより、間仕切壁１１の外観が損なわれるのを回避しながら、棚板２１の倒れを抑制することができる。
【００７３】
また、石膏ボード１４のボード用原紙１４ｂに硬化領域５０を設けることで、すなわち石膏ボード１４側の構成を工夫することで棚板２１の倒れを抑制するようにした。この場合、取付金具２２側の構成については特段工夫する必要がないため、市販の取付金具２２を用いながら、比較的簡単に棚板２１の倒れを抑制することができる。
【００７４】
本発明は上記実施形態に限らず、例えば次のように実施されてもよい。
【００７５】
（１）上記実施形態では、硬化領域５０を、石膏ボード１４のボード用原紙１４ｂにおいて固定板部２７（板面２７ａ）により覆われた領域全体を含むように形成したが、これを変更して、硬化領域５０をボード用原紙１４ｂにおいて固定板部２７の下端部が重なる下端重なり領域にのみ形成するようにしてもよい。少なくとも下端重なり領域に硬化領域５０が形成されていれば、固定板部２７の下端部のめり込みを抑制することができるため、かかるめり込みに伴う棚板２１の下方への倒れを抑制することができる。
【００７６】
また、硬化領域５０を棚板２１から一部はみ出すように形成してもよい。この場合、硬化領域５０と非硬化領域５１との境界が棚板２１外部に露出することになるが、かかる境界に段差が生じていなければ壁紙を石膏ボード１４に貼り付けた後、壁紙に上記の段差に追従して段差が生じることがないため、その場合にも間仕切壁１１の外観を損うことなく棚板２１の倒れを抑制することができる。
【００７７】
（２）上記実施形態では、石膏ボード１４のボード用原紙１４ｂにウレタン系接着剤を塗布することで硬化領域５０を形成したが、ウレタン系接着剤以外の接着剤を塗布することで硬化領域５０を形成してもよい。また、ボード用原紙１４ｂに、接着剤に代えて、硬化剤を塗布することで硬化領域５０を形成してもよい。
【００７８】
（３）本発明における棚板２１の壁取付構造は必ずしも上記実施形態の取付金具２２に対してのみ適用されるわけではなく、その他の構成からなる取付金具２２にも適用することができる。例えば、上記実施形態の取付金具２２は、石膏ボード１４に固定される壁固定部２５と、棚板２１に固定される棚板固定部２６とがボルト４４により固定されて一体化されていたが、壁固定部２５と棚板固定部２６とが溶接等により一体形成された取付金具に本発明を適用してもよい。
【００７９】
また、上記実施形態の取付金具２２では、壁固定部２５がシャフト２８を有していたが、壁固定部２５がシャフト２８を有しない取付金具、すなわち壁固定部が固定板部２７のみからなる取付金具に本発明を適用してもよい。
【００８０】
また、上記実施形態の取付金具２２は棚板２１の孔部２３に挿入されて設けられるいわゆる見えないタイプの取付金具であったが、棚板２１外部に露出して設けられるいわゆる露出型の取付金具に本発明を適用してもよい。この種の取付金具としては、例えば棚板２１の下面に固定される棚板固定板部と、石膏ボード１４（ボード用原紙１４ｂ）の表面に固定される壁固定板部とを有するＬ字型の取付金具（アングル）が考えられる。この場合、壁固定板部がその板面（対向面部に相当）をボード用原紙１４ｂの表面に密着させた状態で石膏ボード１４に固定されることになる。したがって、かかる構成においても、ボード用原紙１４ｂに硬化領域５０を設けることで壁固定板部（板面）の下端がボード用原紙１４ｂにめり込むのを抑制することができ、ひいてはかかるめり込みに伴う棚板２１の倒れを抑制することができる。
【００８１】
（４）例えば、図６に示すように、壁固定部２５の固定板部２７を石膏ボード１４に固定する一対のビス２９をそれぞれシャフト２８とは異なる高さ位置に設けるようにしてもよい。図６では、固定板部２７に形成されたビス２９挿通用の各孔部５６が上下に長い長孔状とされている。これらの孔部５６はいずれもシャフト２８の外径よりも長い上下長さを有しており、上下方向にシャフト２８を跨いで延びている。そして、これら各孔部５６のうち一方の孔部５６ａではビス２９ａが孔部５６ａの下部に配置され、他方の孔部５６ｂではビス２９ｂが孔部５６ｂの上部に配置されている。この場合、各ビス２９ａ，２９ｂはいずれもシャフト２８とは異なる高さ位置に配置されており、詳しくはビス２９ａがシャフト２８よりも低い位置に、ビス２９ｂがシャフト２８よりも高い位置に配置されている。したがって、各ビス２９ａ，２９ｂとシャフト２８とは水平方向に一直線に並ばないように配置されている。
【００８２】
ここで、各ビス２９ａ，２９ｂとシャフト２８とが水平方向に一直線に並んで配置される場合には、当該直線を回転中心とした固定板部２７の下方への回転が生じるおそれがあるが、上述のように各ビス２９ａ，２９ｂとシャフト２８とが水平方向に一直線に並ばない構成では、上記直線を回転中心とした取付金具２２の下方への回転が生じるのを抑制することができる。これにより、棚板２１の倒れをより一層抑制することができる。
【００８３】
なお、各ビス２９ａ，２９ｂとシャフト２８とが水平方向に一直線に並ばないのであれば、各孔部５６ａ，５６ｂは必ずしも長孔により形成する必要はなく、例えば丸孔により形成してもよい。
【００８４】
（５）上記実施形態では、棚板２１の倒れを抑制する倒れ抑制手段として、ボード用原紙１４ｂに設けた硬化領域５０以外に、下地板３１に関する倒れ抑制手段（詳しくは下地板３１の上下長さＬを棚板２１の奥行き寸法Ｗよりも長くした構成）と、シャフト２８に関する倒れ抑制手段（詳しくは差込部分２８ａの外周面に高摩擦部５３を形成した構成）とをそれぞれ設けたが、下地板３１に関する倒れ抑制手段及びシャフト２８に関する倒れ抑制手段のうちいずれか一方又は両方を設けないようにしてもよい。その場合でも、硬化領域５０が設けられていることで棚板２１の倒れを抑制することができる。
【００８５】
（６）上記実施形態では、石膏ボード１４（詳しくはボード用原紙１４ｂ）の表面に壁紙（クロス）を貼り付ける前に石膏ボード１４に棚板２１を取り付けたが、場合によっては石膏ボード１４の表面に壁紙を貼り付けた後に石膏ボード１４に棚板２１を取り付けることも考えられる。この場合、取付金具２２の壁固定部２５を石膏ボード１４に固定するにあたって、固定板部２７（板面２７ａ）を壁紙の表面に密着させた状態で固定することになるが、壁紙は塩化ビニル等の樹脂や紙といった比較的柔らかい材料で形成されているため、この場合にも固定板部２７のめり込みの問題が生じるおそれがある。
【００８６】
そこで、かかる構成において、壁紙に接着剤又は硬化剤を塗布することで硬化領域５０を形成することが考えられる。そうすれば、壁紙への固定板部２７のめり込みを抑制することができ、その結果かかるめり込みに伴う棚板２１の倒れを抑制することができる。なお、この場合、石膏ボード１４が壁板に相当し、壁紙が被覆材に相当する。また、石膏ボード１４と壁紙とにより壁材が構成される。
【００８７】
また、壁板として石膏ボード１４に代えて合板を用い、その合板の壁面に壁紙を貼り付ける場合にも、石膏ボード１４を壁板とした上記の場合と同様に、棚板２１を取り付けるにあたって硬化領域５０による棚板２１の倒れ抑制構造を適用することができる。
【００８８】
（本明細書から抽出可能な他の発明について）
以下に、本明細書の開示範囲内において課題を解決するための手段欄に記載した発明以外に抽出可能な発明について、必要に応じて効果等を示しつつ説明する。
【００８９】
（１）壁板の壁面を紙又は樹脂からなるシート状の被覆材で被覆してなる壁材を備え、
その壁材に前記被覆材の表面側に突出するようにして棚板が取付部材を介して取り付けられる棚板の壁取付構造であって、
前記取付部材は、前記壁材に対して固定される壁固定部と、前記棚板に対して固定される棚板固定部とを備え、
前記壁固定部は、前記被覆材の表面に対向する対向面部を有し、その対向面部を前記表面に密着させた状態で前記壁材に固定されており、
前記壁材の裏面側には、下地板が設けられており、
前記下地板には、前記壁固定部及び前記壁材を貫通して固定具が打ち込まれており、
その固定具により前記壁固定部が前記壁材に対して固定されており、
前記壁固定部は、前記対向面部から前記壁材の裏面側へ当該壁材を貫通して延びるシャフトを備え、
前記下地板には、前記シャフトを差し込むための差込孔部が形成されており、
前記シャフトにおいて前記差込孔部に差し込まれた差込部分には、その外周面に前記下地板との摩擦抵抗を高める高摩擦構造が形成されていることを特徴とする棚板の壁取付構造。
【００９０】
上記構成によれば、シャフトにおいて差込孔部に差し込まれる差込部分の外周面に高摩擦構造が形成されているため、差込部分と下地板との摩擦抵抗が高めることができる。この場合、シャフトに作用する引き抜き力に対して抵抗力を付与することができるため、シャフトの引き抜き側への変位を抑制することができ、ひいてはかかる変位に伴う壁固定部の下方への回転を抑制することができる。これにより、取付部材ひいては棚板の倒れを抑制することができる。
【００９１】
（２）壁板の壁面を紙又は樹脂からなるシート状の被覆材で被覆してなる壁材を備え、
その壁材に前記被覆材の表面側に突出するようにして棚板が取付部材を介して取り付けられる棚板の壁取付構造であって、
前記取付部材は、前記壁材に対して固定される壁固定部と、前記棚板に対して固定される棚板固定部とを備え、
前記壁固定部は、前記被覆材の表面に対向する対向面部を有し、その対向面部を前記表面に密着させた状態で前記壁材に固定されており、
前記壁材の裏面側には、下地板が設けられており、
前記下地板には、前記壁固定部及び前記壁材を貫通して一対の固定具が打ち込まれており、それら固定具により前記壁固定部が前記壁材に固定されており、
前記壁固定部は、前記対向面部から前記壁材の裏面側へ当該壁材及び前記下地板を貫通して延びるシャフトを備え、
前記各固定具は、前記棚板の幅方向において前記シャフトを挟んだ両側にそれぞれ配置されているとともに、前記シャフトとは異なる高さ位置に配置されていることを特徴とする棚板の壁取付構造。
【００９２】
上記構成によれば、壁固定部が棚板の幅方向においてシャフトを挟んだ両側に配置された一対の固定具（ビスや釘、ボルト等）により壁材に固定されており、それら各固定具がいずれもシャフトとは異なる高さ位置に配置されている。この場合、各固定具とシャフトとが水平方向に一直線に並ばないようにすることができるため、これら各固定具及びシャフトが水平方向に一直線に並んで配置される場合と異なり、当該直線を回転中心とした壁固定部の下方への回転が生じるのを抑制できる。これにより、棚板の倒れを抑制することが可能となる。
【００９３】
（３）壁板の壁面を紙又は樹脂からなるシート状の被覆材で被覆してなる壁材を備え、
その壁材に前記被覆材の表面側に突出するようにして棚板が取付部材を介して取り付けられる棚板の壁取付構造であって、
前記取付部材は、前記壁材に対して固定される壁固定部と、前記棚板に対して固定される棚板固定部とを備え、
前記壁固定部は、前記被覆材の表面に対向する対向面部を有し、その対向面部を前記表面に密着させた状態で前記壁材に固定されており、
前記壁材の裏面側には、下地板が設けられており、
前記下地板には、前記壁固定部及び前記壁材を貫通して固定具が打ち込まれており、
その固定具により前記壁固定部が前記壁材に対して固定されており、
前記下地板は、その上下方向の長さが前記棚板の奥行き寸法よりも長くなっていることを特徴とする棚板の壁取付構造。
【００９４】
ところで、棚板に作用する下向き荷重により壁固定部が下方へ向けて回転しようとすると、その壁固定部が固定された壁材が壁固定部の回転に追従して変形するおそれがある。この際、壁材は、例えば壁固定部が固定された固定部位周辺が上下に波打つ波板状に変形することが考えられる。そこで、上記の構成では、このような点に鑑みて、壁材の裏面側に設けられる下地板の上下長さを棚板の奥行き寸法よりも長くしている。この場合、壁材において壁固定部が固定された固定部位周辺をその裏面側から十分な上下寸法をもって下地板で覆うことが可能となるため、壁材の上記変形を好適に抑えることが可能となり、ひいては上記変形に基づく棚板の倒れを抑制することが可能となる。
【符号の説明】
【００９５】
１４…壁材としての石膏ボード、１４ａ…壁板としての芯材、１４ｂ…被覆材としてのボード用原紙、２１…棚板、２２…取付部材としての取付金具、２３…孔部、２５…壁固定部、２６…棚板固定部、２７ａ…対向面部としての板面、２８…シャフト、２９…固定具としのビス、３１…下地板、３８…差込孔部としての孔部、５０…硬化領域、５３…高摩擦構造としての高摩擦部。
【図１】
0006468913.tif 000002
【図２】
0006468913.tif 000003
【図３】
0006468913.tif 000004
【図４】
0006468913.tif 000005
【図５】
0006468913.tif 000006
【図６】
0006468913.tif 000007